(57)【特許請求の範囲】
【請求項１】
光軸周りに回転可能なレボルビング機能を備えたレンズ鏡筒において、
円周上の複数箇所に凹溝が設けられたレボルビング回転部と、
前記レボルビング回転部の前記凹溝が設けられた円周上を転動する転動部材と、前記レボルビング回転部に対して前記転動部材を押圧する付勢部材と、
前記転動部材及び前記付勢部材を収容する保持部材と、該保持部材が固定されるレボルビング固定部とを有し、
前記保持部材は、前記転動部材を保持する第１の保持部と、前記第１の保持部とは異なる位置で前記転動部材を保持する第２の保持部を有し、前記第１の保持部と前記第２の保持部は、前記レボルビング固定部に対し、前記転動部材を互いに異なる位相で保持することが可能であることを特徴とするレンズ鏡筒。
【請求項２】
前記保持部材は、前記レボルビング固定部への組み込みの際、組み込み位置を規制する位置規制部と、
前記転動部材を保持するための凹溝を複数備え、
前記転動部材を前記位置規制部の幅の中心位置に保持する前記第１の保持部と、前記転動部材を前記位置規制部の幅の中心からずれた位置に保持する前記第２の保持部を備えたことを特徴とする請求項１記載のレンズ鏡筒。
【請求項３】
前記転動部材は、前記光軸と平行な軸周りに転動するローラーであることを特徴とする請求項１または２記載のレンズ鏡筒。
【請求項４】
前記保持部材は、前記レボルビング固定部に対し、前記転動部材の保持する位相を認識できる目印部を備えたことを特徴とする請求項１から３の何れか一項に記載のレンズ鏡筒。
【発明の詳細な説明】
【技術分野】
【０００１】
本発明は、レンズ光軸周りに回転可能なレボルビング機能を備えたレンズ鏡筒に関するものである。
【背景技術】
【０００２】
従来、レンズ光軸周りに回転可能とするレボルビング機能を有したレンズ鏡筒があった。例えば三脚座を備えたレンズ鏡筒では、三脚等に三脚座を固定した状態でレンズ光軸周りにカメラと共にレンズを回転させることで縦横の構図を間便に変更可能とすることができる。または建造物の撮影に用いられることが多いティルトまたはシフト機能付きレンズでは、ティルトまたはシフト方向の変更のために、やはりレンズ光軸周りに回転する機能を有している。
【０００３】
またレボルビング機能では特定の回転位相毎にクリック感が得られる箇所（以降、単にクリックと呼ぶ）を設け、使用者がクリックの感触をもってレンズの回転位置を認識させるようにしたものが一般的にある。特に三脚座を備えたレンズ鏡筒の場合は、レンズ鏡筒を三脚に水平に取付けた場合の重力方向にクリック部を設け、更に９０°位相毎にクリックを設けることが多い。クリックは一般的に回転部材に凹溝を設け、更に三脚座など固定部側に付勢部材で押圧されたボール、ピン、またはローラーなどを凹溝に対し付勢することでクリック感が得られるようにしている。
【０００４】
一方、昨今ではカメラに電子水準器の機能が搭載されるものがある。ファインダー内、あるいは液晶表示部にカメラの姿勢を表示するインジケータが搭載され、使用者は現在のカメラの姿勢を認識することが可能となっている。
【先行技術文献】
【特許文献】
【０００５】
【特許文献１】特開２０００−２２７５３５
【発明の概要】
【発明が解決しようとする課題】
【０００６】
レボルビング機能のクリックを構成する場合、それぞれの部品公差の積み上げ等を考慮すると重力方向に正確にクリックを配置することは難しい。特に構成部品数が多くなるに従いズレ量も増大し、レンズ鏡筒のクリック位置とカメラに搭載された電子水準器の姿勢表示が、使用者が認識できるほどに食い違うという問題があった。あるいは水平状態のクリック位置で固定して撮影しているにも関わらず、実際の姿勢は微小に傾いているという問題があった。
【０００７】
また特許文献１では、使用者が必ずしも水平状態での撮影を求めないという課題提起の元、使用者が任意の位置にクリックを配置することを可能とする提案を行っている。解決手段として、クリック構造を有する三脚環と三脚座を別体とし、クリック構造を有する三脚環に対し任意の位置に三脚座を固定するようにしている。しかしながらあくまで使用者が任意の位置にクリックを配置できることを目的としており、製造的な課題を解決することを意図しているわけではない。そのため、三脚環が二重構成になり大型化するなどの課題がある。
【０００８】
本発明の目的は、レボルビング機能を有するレンズ鏡筒において、筐体を必要以上に大型化することなくレボルビングの際のクリック位置の微調整を可能とすることである。
【課題を解決するための手段】
【０００９】
本発明の例示的なレンズ鏡筒は、光軸周りに回転可能なレボルビング機能を備えたレンズ鏡筒であって、円周上の複数箇所に凹溝が設けられたレボルビング回転部と、レボルビング回転部の凹溝が設けられた円周上を転動する転動部材と、レボルビング回転部に対して転動部材を押圧する付勢部材と、転動部材及び付勢部材を収容する保持部材と、保持部材が固定されるレボルビング固定部とを有し、保持部材は、転動部材を保持する第１の保持部と、第１の保持部とは異なる位置で転動部材を保持する第２の保持部を有し、第１の保持部と第２の保持部は、レボルビング固定部に対し、転動部材を互いに異なる位相で保持することが可能であることを特徴としている。
【発明の効果】
【００１０】
本発明によれば、筐体を必要以上に大型化することなくレボルビングを行った際のクリック位置の微調整が可能となる。
【図面の簡単な説明】
【００１１】
【図１】実施例１のレンズ鏡筒にカメラを取付けた外観斜視図である。
【図２】実施例１のレンズ鏡筒の分解斜視図である。
【図３】実施例１のレンズ鏡筒の部分断面図である。
【図４】実施例１のレンズ鏡筒の部分構成分解図である。
【図５】ローラー保持部材とクリックローラーを組み合わせた状態での平面図である。
【図６】実施例１のレンズ鏡筒の左調整位置、中心位置、右調整位置の平面図と部分断面図である。
【図７】参考例の分解構成図である。
【図８】参考例のユニット構成図である。
【図９】参考例の構成図である。
【図１０】参考例の構成断面図である。
【発明を実施するための形態】
【００１２】
以下、本発明の実施例について図を参照しながら説明する。
【００１３】
（実施例１）
図１は本実施例のレンズ鏡筒本体にカメラを取り付けた際の外観斜視図である。
【００１４】
図１において、１はレンズ鏡筒本体、２はレンズ鏡筒本体１を光軸周りに回転自在に保持することが可能な三脚座ユニット、３はレンズ鏡筒本体１に取付けられたカメラである。本実施例のレンズ鏡筒は、光軸（レボルビング回転軸）周りに回転可能なレボルビング機能を備えたレンズ鏡筒であり、レボルビング回転部としてのレンズ鏡筒本体１と、レボルビング固定部としての三脚座ユニット２とで構成される。図１の矢印は、三脚座ユニット２を不図示である三脚等に固定した状態で、レンズ鏡筒本体１とカメラ３を光軸周りにレボルビング動作が可能であることを示している。
【００１５】
図２は、レンズ鏡筒本体１から三脚座ユニット２を取り外した分解斜視図である。レンズ鏡筒本体１には、三脚座ユニット２を光軸周りに回転自在に保持するためのベアリングローラー５が、後述の図３に示すワッシャ６、取付けビス７により全周で６箇所取付けられている。三脚座ユニット２側の内周溝１０ａにベアリングローラー５が係合することで光軸方向の位置を保持したまま光軸周りに回転するレボルビング動作を可能としている。更にレンズ鏡筒本体１には、クリック感を得るための凹溝１ａが円周上に複数箇所、具体的には、水平姿勢状態の重力方向１箇所を基準に９０°位相毎に全周で４箇所設けられている。更に三脚座ユニット２には、図３に示す三脚ネジ１５が取り付けられた三脚座１１、三脚座ユニット２を光軸周り任意の位置に固定するための固定ネジ１２、不図示のストラップを取付けるための吊り環１３、名称板１４がそれぞれの取付けビスにより三脚環１０に対して固定されている。
【００１６】
図３は、レンズ鏡筒本体１と三脚座ユニット２の結合箇所の部分断面図、図４はクリックローラー２０とローラー保持部材２１周辺の構成斜視図、図５はローラー保持部材２１とクリックローラー２０を組み合わせた状態での平面図である。
【００１７】
図３〜図５において、２２は付勢バネ、２３は付勢バネ２２とクリックローラー２０の間に介在するワッシャ部材である。クリックローラー２０は、光軸と平行な軸周りに転動する転動部材である。ローラー保持部材２１中、２１ａは中心位置で使用する場合のクリックローラー２０の軸部２０ａを保持するための中心位置軸受け部、２１ｂは左右の調整位置で使用する場合の左右調整位置軸受け部である。中心位置軸受け部２１ａ、左右調整位置軸受け部２１ｂはそれぞれ、クリックローラー２０を保持するための一対の溝である。ローラー保持部材２１は、図３に示されるように、内部に付勢バネ２２及びワッシャ部材２３を収容し、取付けビス２５により三脚環１０に固定される。更に２１ｅはローラー保持部材２１を三脚環１０に固定するための取付け孔、２１ｉ，２１ｊはバネ押え板２４を固定するための貫通孔となっている。また２１ｆは中心位置規制部であり、中心位置軸受け部２１ａの軸位置は中心位置規制部２１ｆの中心に配置されている。２１ｇは左右調整位置規制部であり、左右調整位置軸受け部２１ｂの軸位置は左右調整位置規制部２１ｇの中心から僅かにオフセットした位置に配置されている。図５に示すように、ローラー保持部材２１の四隅は面取りが施されているが、一箇所２１ｈのみＲ形状となっており、方向が認識できる目印部となっている。
【００１８】
ローラー保持部材２１は、付勢部材としての付勢バネ２２がローラー保持部材２１内に保持され、クリックローラー２０をレンズ鏡筒本体１に押圧するように、バネ押え板２４、取り付けビス２５によって三脚環１０に固定される。なお、ワッシャ部材２３は付勢バネ２２の付勢力が均等にクリックローラー２０に掛かるように配置されている。レボルビング動作中、付勢バネ２２の付勢力を受けているクリックローラー２０が凹溝１ａ位置に合い、付勢力が弱まることでクリック感を出している。
【００１９】
図６はローラー保持部材に２１にクリックローラー２０等を組み込み、更に三脚環１０に取付けた状態の平面図と正面断面図である。図６（ａ）はクリックの左調整位置、図６（ｂ）は中心位置、図６（ｃ）は右調整位置である。ローラー保持部材２１は、付勢バネ２２によるクリックローラー２０のレンズ鏡筒本体１への押圧方向を軸として、複数の回転位相で三脚座ユニット２に対して取り付け可能に構成されている。クリックの位置調整が不要である中心位置で設定する場合は、図６（ｂ）で示すように、三脚環１０の受け部１０ｂにローラー保持部材２１の中心位置規制部２１ｆが当接する向き（位相）で組み込む。左右調整位置規制部２１ｆの幅の中心位置にクリックローラー２０の軸受け部２１ａの位置が配置されており、この位相で組付けることによりクリックローラー２０は中心位置で付勢されることになる。
【００２０】
更にクリックの位置をカメラ方向から見て左方向に調整したい場合は、図６（ａ）で示すようにローラー保持部材２１の左右調整位置規制部２１ｇが三脚環１０の受け部１０ｂに当接する向き（位相）で組み込む。このとき目印部２１ｈが組付け方向から見て、左側になる方向に組み込む。左右調整位置規制部２１ｇの幅の中心位置からクリックローラー２０の軸受け部２１ｂが、図６（ａ）の平面図中でわずかに左側にオフセットされているため、クリック位置は僅かに左方向に回転することになる。
【００２１】
更にクリックの位置をカメラ方向から見て右方向に調整したい場合は、図６（ｃ）で示すようにローラー保持部材２１の左右調整位置規制部２１ｇが三脚環１０の受け部１０ｂに当接する向き（位相）で組み込む。このとき目印部２１ｈが組付け方向から見て、右側になる方向に組み込む。左右調整位置規制部２１ｇの幅の中心位置からクリックローラー２０の軸受け部２１ｂが、図６（ａ）の平面図中でわずかに右側にオフセットされているため、クリック位置は僅かに右方向に回転することになる。
【００２２】
このようにローラー保持部材２１を複数の位相で取付けることにより、取付けた位相によって三脚座ユニット２上、すなわちレボルビング固定部上でのローラー保持部材２１の位置（レンズ鏡筒本体１の接線方向の位置）を調整することができる。この結果、クリック位置でのクリックローラー２０と凹溝１ａとの相対位置が変化することになるので、クリック位置の微調整が可能となる。
【００２３】
なお、左右調整位置規制部２１ｇの幅の中心に対し軸受け部２１ｂのオフセットされている量は、製造誤差により発生する可能性のあるクリック位置の最大ズレ量の数割としている。三脚座に対するクリック位置のズレを必ずしも厳密に０とする必要はなく、部品公差管理で吸収しきれないある程度のズレを相殺することを目的としている。また、クリックローラー２０は、レボルビング回転軸に対し、レンズ鏡筒本体１の接線方向にオフセットされることになるが、オフセット量が微小なため付勢圧もほとんど変化することなく回転量としての調整に置き換えることが可能である。
【００２４】
またローラー保持部材２１に設けられた目印部２１ｈは、必ずしも切り欠きである必要はなく左右調整時の方向の目印となるような異形状を設けてあればどのようなものでもよい。
【００２５】
また本実施例はレボルビング動作可能な三脚座を有するレンズ鏡筒として表したが、レボルビング動作が可能であり、特定の回転位相にクリックを有するレンズ鏡筒であれば三脚座に限らず、例えばティルト、シフト機能を有するレンズ鏡筒にも対応可能である。
【００２６】
（参考例）
次に本発明の参考例について説明する。図７は参考例の構成分解図、図８はユニット構成図、図９は組付け後の構成図である。
【００２７】
図７〜９において、３０は三脚環、３１はレンズ鏡筒本体と転動するクリックローラー、３２はクリックローラー３１を保持し、リードスクリュー３４のネジ部３４ａと螺合するローラー保持部材である。更にローラー保持部材３２には付勢バネ３３が取付けられ、クリックローラー３１をレンズ鏡筒本体側に付勢している。また三脚環３０にはリードスクリュー保持部３０ａが設けられ、リードスクリュー３４の軸部を回転自在に保持可能となっている。これらを組み付けられたローラー保持部材３２を三脚環３０に組込み、押え板３５、保持ビス３６により抜け止めする。３７はリードスクリュー３４の回転位置を固定するための固定ビスである。
【００２８】
図１０は、三脚環３０に組込み後の構成断面図である。図１０において、固定ビス３７を緩めた状態で、三脚環３０の貫通孔からリードスクリュー３４の六角孔３４ｂに不図示である調整工具としての六角レンチを挿入し回転させる。この操作によりリードスクリュー３４のネジ部３４ｂに螺合したローラー保持部材３２が、レンズ鏡筒本体１の接線方向に移動可能となり、クリック位置の微調整ができる。調整後は固定ビス３７を締め付けることにより、調整位置を固定する。本参考例のごとく構成することで調整位置は無段階に微調整することが可能である。また、調整用の六角孔３４ｂは不図示のキャップ部材等で塞ぐことで外観上も品位を落とすことはない。
【００２９】
尚、本参考例ではローラー保持部材３２を板金で製作された形状としているが、これは機能さえ満足されていればダイキャスト等で製作されたものでももちろん構わない。
【符号の説明】
【００３０】
１  レンズ鏡筒本体
１ａ  凹溝
２  三脚座ユニット
２０  クリックローラー
２１  ローラー保持部材
２２  付勢バネ
【図１】
0005627341.tif 000002
【図２】
0005627341.tif 000003
【図３】
0005627341.tif 000004
【図４】
0005627341.tif 000005
【図５】
0005627341.tif 000006
【図６】
0005627341.tif 000007
【図７】
0005627341.tif 000008
【図８】
0005627341.tif 000009
【図９】
0005627341.tif 000010
【図１０】
0005627341.tif 000011